(57)【要約】 【課題】  操作状態において、操作者に与える発熱に関する違和感を低減する電子機器の筐体構造を提供する。【解決手段】  カバー体３を設け、発熱体の近傍の筐体２１の面３３とカバー体２との間に空気層を形成する。カバー体３によって操作者が、発熱体の近傍の筐体２１の面３３に触れることを防ぐ。これによって発熱体２２の温度上昇に起因して操作者が感じる違和感を低減することができる。【選択図】      図１
2006345283.tif 000002
【特許請求の範囲】
【請求項１】
操作者によって把持された状態で操作される電子機器の筐体構造であって、
発熱体を内蔵する筐体と、
発熱体近傍の筐体表面を覆い、前記発熱体近傍の筐体表面に対して間隔をあけて配置されるカバー体とを含むことを特徴とする電子機器の筐体構造。
【請求項２】
操作者によって押圧される入力部を有し、入力部の押圧状態に基づいて、操作者から与えられる入力指令を取得する電子機器の筐体構造であって、
前記カバー体は、筐体のうちで入力部が露出する第１面とは反対側の第２面を、覆うことを特徴とする請求項１記載の電子機器の筐体構造。
【請求項３】
表示部をさらに有する電子機器の筐体構造であって、
前記筐体は、表示部を搭載する表示部搭載部分と、入力部を搭載する入力部搭載部分とに分割されて、表示部搭載部分が入力部搭載部分に対して変位可能に形成され、
前記カバー体は、筐体のうちで入力部が露出する第１面とは反対側の第２面を、覆うことを特徴とする請求項２記載の電子機器の筐体構造。
【請求項４】
前記カバー体は、第２面に対向する主面と、主面の両側から屈曲して筐体の側面にそれぞれ対向する各副面とが形成されることを特徴とする請求項２または３記載の電子機器の筐体構造。
【請求項５】
電子機器が操作される操作状態において、カバー体と筐体との間に形成される隙間は、上方および下方に開放して形成されることを特徴とする請求項１〜４のいずれか１つに記載の電子機器の筐体構造。
【請求項６】
筐体とカバー体との間の空間の体積を、任意の体積に変更および保持可能であることを特徴とする請求項１〜５のいずれか１つに記載の電子機器の筐体構造。
【請求項７】
筐体に内蔵される発熱体とカバー体との間の距離を、任意の距離に変更および保持可能に形成されることを特徴とする請求項１〜６のいずれか１つに記載の電子機器の筐体構造。
【請求項８】
カバー体は、筐体に対して予め定める角変位軸線まわりに角変位可能に形成されることを特徴とする請求項１〜７のいずれか１つに記載の電子機器の筐体構造。
【請求項９】
カバー体は、筐体に対して着脱可能に形成されることを特徴とする請求項１〜８のいずれか１つに記載の電子機器の筐体構造。
【請求項１０】
筐体のうちカバー体に対向する部分は、残余の筐体部分に比べて、熱伝導性が高い金属から成ることを特徴とする請求項１〜９のいずれか１つに記載の電子機器の筐体構造。
【請求項１１】
電子機器は、携帯電話装置であることを特徴とする請求項１〜１０のいずれか１つに記載の電子機器の筐体構造。
【発明の詳細な説明】
【技術分野】
【０００１】
本発明は、操作者が把持した状態で操作される電子機器の筐体構造に関し、特に携帯電話の筐体構造に関する。
【背景技術】
【０００２】
携帯電話のうちで、カメラ撮像機能およびテレビ放送受信機能などを有するものがある。この場合、それらの機能を実現するために、ＣＰＵ（Central Processing Unit、中央演算装置）やＬＳＩ（Large Scale Integration、大規模集積回路）など、多くの電子デバイスが搭載される。ＣＰＵおよびＬＳＩなどから放出される熱は、携帯電話の内部で滞留すると、携帯電話の温度上昇を招く。
【０００３】
特許文献１に開示される第１の従来技術では、筐体の下部と上部とに形成される開口部と、冷却用フィンを有する振動モータとが設けられる。振動モータは、冷却用フィンを駆動することで、装置外部から空気を導入して、装置内部の空気を装置外部に積極的に排出する。
【０００４】
特許文献２に開示される第２の従来技術では、熱伝導率の高い材料から成る筐体が設けられる。筐体は、筐体内に配置される電子部品などの発熱体に接触する。発熱体によって発生した熱は、筐体全般に伝導されて、筐体外の空気との熱伝達によって、筐体外方に放熱される。
【特許文献１】特開２００４−７２４２０号公報（第２頁、第３頁）
【特許文献２】特開２０００−２５３１１５号公報（第２頁）
【発明の開示】
【発明が解決しようとする課題】
【０００５】
しかしながら上述した従来技術では、以下に挙げる欠点を抱えている。
外気を筐体内部に積極的に導入する第１の従来技術では、外気に含まれる塵を筐体内部に吸い込むおそれがある。吸い込まれた塵が排出されずに筐体内に残り、筐体内で堆積することによって、さらなる温度上昇の引き金となりうる。また筐体内に堆積した塵は、電子部品の損傷の要因となる。また、水分を多く含む雰囲気中で、振動用モータが冷却用フィンを駆動すると、水または水分を含んだ空気を筐体内に積極的に吸い込むこととなり、漏電などによる電子回路の故障の確率が飛躍的に高くなる。
【０００６】
熱伝導率の高い金属材料で筐体を成形する第２の従来技術では、放熱性を高めるためには、熱伝導率の高い材料から成る表面部分を広範囲にする必要がある。筐体のうちで操作者が触れる接触部分が熱伝導率の高い金属で形成される場合、発熱体からの熱が伝わって、温度が高くなった接触部分に触れることで、操作者は、携帯電話の操作に違和感を抱くおそれがある。またこのような問題は、操作者によって把持された状態で操作される電子機器について、同様に生じる。
【０００７】
したがって本発明の目的は、操作にあたって操作者が感じる違和感を低減する電子機器装置の筐体構造を提供することである。
【課題を解決するための手段】
【０００８】
本発明は、操作者によって把持された状態で操作される電子機器の筐体構造であって、
発熱体を内蔵する筐体と、
発熱体近傍の筐体表面を覆い、前記発熱体近傍の筐体表面に対して間隔をあけて配置されるカバー体とを含むことを特徴とする電子機器の筐体構造である。
【０００９】
本発明に従えば、発熱体によって発生した熱が、伝導または伝達によって筐体に伝わる。これによって発熱体近傍の筐体表面が、電子機器の周囲の空気である外気に比べて高温となる。またカバー体と、発熱体近傍の筐体表面とは、間隔をあけて配置されるので、発熱体近傍の筐体表面の熱は、カバー体に伝わりにくい。
【００１０】
操作者は、電子機器を把持する場合、カバー体を把持することで、発熱体近傍の筐体表面に触れることが防がれる。カバー体は、発熱体近傍の筐体表面よりも低温である。これによって、電子機器の操作時に、電子機器の温度上昇に起因して操作者が感じる違和感を低減することができる。
【００１１】
本発明は、操作者によって押圧される入力部を有し、入力部の押圧状態に基づいて、操作者から与えられる入力指令を取得する電子機器の筐体構造であって、
前記カバー体は、筐体のうちで入力部が露出する第１面とは反対側の第２面を、覆うことを特徴とする。
【００１２】
本発明に従えば、操作者によって押圧される入力部の入力状態に応じて、操作者からの指令を取得する。操作者は、入力部の押圧操作を行う場合、電子機器がずれることを防ぐために、入力部と反対側の部分を支持する。カバー体は、筐体のうちで入力部が露出する第１面とは反対側の第２面を覆う。したがって操作者が入力部を押圧する場合には、操作者は、カバー体に触れて電子機器を支えることになり、筐体の第２面と操作者とが直接触れることが防がれる。これによって入力部を押圧する操作がなされるにあたって、電子機器の温度上昇に起因して操作者が感じる違和感を減らすことができる。
【００１３】
本発明は、表示部をさらに有する電子機器の筐体構造であって、
前記筐体は、表示部を搭載する表示部搭載部分と、入力部を搭載する入力部搭載部分とに分割されて、表示部搭載部分が入力部搭載部分に対して変位可能に形成され、
前記カバー体は、筐体のうちで入力部が露出する第１面とは反対側の第２面を、覆うことを特徴とする。
【００１４】
本発明に従えば、入力部搭載部分と表示部搭載部分とが変位可能に設けられることで、操作時と非操作時とで筐体の形状を異ならせることができる。たとえば非操作時には、入力部搭載部分と表示部搭載部分とを重ねるなどして、筐体の小形化を図ることができる。また入力部搭載部分のうちで入力部が露出する第１面とは反対側の第２面をカバー体が覆うことで、入力部搭載部分と表示部搭載部分とを分割したことに起因して、入力部搭載部分の容積が小さくなり、入力部搭載部分が高温となる場合がある。この場合であっても、電子機器の温度上昇に起因して操作者が感じる違和感を減らすことができる。
【００１５】
本発明は、前記カバー体は、第２面に対向する主面と、主面の両側から屈曲して筐体の側面にそれぞれ対向する各副面とが形成されることを特徴とする。
【００１６】
本発明に従えば、カバー体の主面に操作者の掌を接触させた状態で、操作者の五指のうちいずれか２つなどで、カバー体の各副面を挟持させることができる。これによって操作時に、カバー体を介して、電子機器を確実に把持することができる。また操作時に電子機器を支えるであろう操作者の掌および五指が、筐体に直接触れることを防ぐことができ、電子機器の温度上昇に起因して操作者が感じる違和感を減らすことができる。
【００１７】
本発明は、電子機器が操作される操作状態において、カバー体と筐体との間に形成される隙間は、上方および下方に開放して形成されることを特徴とする。
【００１８】
本発明に従えば、発熱体近傍の筐体表面とカバー体との間の空気は、筐体表面から伝えられる熱によって温度が上昇すると、上方に移動してカバー体と筐体との間の空間から脱出する。またカバー体の下端部に形成される隙間から冷えた空気が、発熱体近傍の筐体表面とカバー体との間に進入する。このようにカバー体と筐体との間の隙間が上下方向に開放されることで、発熱体近傍の筐体表面によって暖められた空気が、発熱体近傍の筐体表面とカバー体との間にこもることを防ぐことができる。
【００１９】
本発明は、筐体とカバー体との間の空間の体積を、任意の体積に変更および保持可能であることを特徴とする。
【００２０】
本発明に従えば、カバー体と筐体との間の空間の体積を変更することによって、操作時における電子機器の大きさを自在に変更することができる。これによって操作者毎の手の大きさに応じて、操作時における電子機器の大きさを、最適な大きさに調整することができる。
【００２１】
本発明は、筐体に内蔵される発熱体とカバー体との間の距離を、任意の距離に変更および保持可能に形成されることを特徴とする。
【００２２】
本発明に従えば、カバー体と発熱体との距離が大きくなることで、カバー体の温度上昇を少なくすることができる。また電子機器の操作環境として、季節、地域差など、大気温度が大きく変わる場合が考えられる。本発明では、電子機器の操作環境にあわせて、カバー体の温度が過度に高くならないような、カバー体と筐体に内蔵される発熱体との間の距離に設定することができ、利便性を向上することができる。
【００２３】
本発明は、カバー体は、筐体に対して予め定める角変位軸線まわりに角変位可能に形成されることを特徴とする。
【００２４】
本発明に従えば、カバー体が筐体に対して角変位線まわりに角変位することで、カバー体と筐体との間の空間の体積を変更可能に形成できる。また角変位軸線を発熱体から離れた位置に設定することによって、カバー体と筐体に内蔵される発熱体との間の距離を変更可能に形成できる。またカバー体を筐体に対して角変位軸線まわりに角変位可能にする構成は、筐体およびカバー体について単純な構造によって実現することができる。
【００２５】
本発明は、カバー体は、筐体に対して着脱可能に形成されることを特徴とする。
本発明に従えば、電子機器の操作環境にあわせて、カバー体の装着の有無を任意に決定できる。たとえば発熱体の発熱による温度上昇は、外気温からの相対温度で示されるが、外気温が極端に低い場合などには、外気温に温度上昇を足し合わせても、操作者に不快感を与えることがない。このような場合には、カバー体を取外すことができる。
【００２６】
本発明は、筐体のうちカバー体に対向する部分は、残余の筐体部分に比べて、熱伝導性が高い金属から成ることを特徴とする。
【００２７】
本発明に従えば、発熱体の熱は、筐体のうちでカバー体に対向する部分に伝わり、カバー体に対向する部分から外方に伝わる。カバー体に対向する部分は、残余の筐体部分に比べて、熱伝導性が高い金属から成るので、筐体内の熱が筐体外に伝わりやすく、筐体内の温度が過度に上昇することを防ぐことができる。また筐体のうちカバー体に対向する部分が高温になった場合であっても、カバー体に対向する部分がカバー体に覆われることで、操作者がカバー体に対向する部分に直接触れることを防ぐことができ、電子機器の温度上昇に起因して操作者が感じる違和感を低減することができる。
【００２８】
本発明は、電子機器は、携帯電話装置であることを特徴とする。
本発明に従えば、電子機器が携帯電話装置であることによって、操作者によって把持された状態で操作される可能性が大きい。したがって上述する構成を有することによる効果を顕著に得ることができる。
【発明の効果】
【００２９】
本発明によれば、操作時において、発熱体近傍の筐体表面が高温になっても、操作者は、カバー体によって、発熱体近傍の筐体表面に直接触れることが阻止される。これによって、電子機器の温度上昇に起因して操作者が感じる違和感が低減される。したがって違和感の発生で生じる不快感を解消して、長時間の操作を行わせることができる。
【００３０】
また本発明によれば、入力部を押圧する操作がなされる場合において、電子機器を支持するほうの操作者の手が、発熱体近傍の筐体表面に接触することが防がれる。したがって操作者の入力操作が長時間行われる場合であっても、違和感の発生で生じる不快感を解消して、長時間の操作を行わせることができる。
【００３１】
また本発明によれば、入力部搭載部分と表示部搭載部分とが分割される筐体は、入力部搭載部分と表示部搭載部分とが一体の場合に比べて、入力部搭載部分に熱がこもりやすい。入力部搭載部分のうちで入力部が露出する第１面とは反対側の第２面をカバー体が覆うことで、入力部搭載部分が高温となりやすくても、電子機器の温度上昇に起因して操作者が感じる違和感を減らすことができる。
【００３２】
また本発明によれば、操作者が、電子機器を掌で支えるとともに、五指のいずれか２つで電子機器を挟持する状態において、掌および五指のいずれか２つが、直接発熱体近傍の筐体表面に接触することが防がれ、電子機器の温度上昇に起因して操作者が感じる違和感をより確実に減らすことができる。
【００３３】
また本発明によれば、カバー体と筐体との間の隙間が、上方と下方とにそれぞれ開放して形成される。これによって発熱体近傍の筐体表面によって暖められた空気が、筐体とカバー体との間にこもることを防ぐことができる。これによって長時間操作を継続した場合であっても、カバー体の温度が高くなることを防ぐことができる。
【００３４】
また本発明によれば、電子機器の大きさを自在に変更可能であるので、操作者毎の手の大きさに応じて、操作時における電子機器の大きさを、最適な大きさに調整することができる。これによって長時間にわたる入力部の押圧操作を、楽に行わせることができる。たとえば文字入力に要する負担を減らしたり、ゲームに代表されるアプリケーション操作に要する負担を減らしたりすることができ、長時間操作した場合における操作者の疲労を少なくすることができる。
【００３５】
また本発明によれば、電子機器の操作環境にあわせて、カバー体の温度が過度に高くならないように、カバー体と発熱体との間の距離を設定することができる。また操作環境に応じて、カバー帯と発熱体との間の距離を設定することができ、利便性を向上することができる。
【００３６】
また本発明によれば、カバー体が筐体に対して角変位線まわりに角変位することで、カバー体と筐体との間の空間の体積を変更可能に形成できる。また角変位軸線を発熱体から離れた位置に設定することによって、カバー体と筐体に内蔵される発熱体との間の距離を変更可能に形成できる。またカバー体を筐体に対して角変位軸線まわりに角変位可能にする構成は、筐体およびカバー体について単純な構造によって実現することができる。
【００３７】
また本発明によれば、カバー体を筐体から着脱することができる。したがって発熱体近傍の筐体表面の温度が過度に高くならないことがわかっている場合には、カバー体を取外すことができる。これによって電子機器の厚さが減少し、携帯性を向上することができる。たとえば発熱体近傍の筐体表面の温度が過度に高くならない場合として、操作時間が短時間ですむような使い方を多用する場合、発熱体の温度上昇が低い場合、外気温が低い場合などが想定される。
【００３８】
また本発明によれば、筐体のカバー体に対向する部分が、残余の筐体部分に比べて、熱伝導性が高い金属であるので、筐体内の温度が過度に上昇することを防ぐことができる。この場合、筐体の内外を挿通する開口部を設ける必要がないので、水分または水分を多く含んだ空気が筐体内に浸入することを防ぐことができ、電子回路の損傷を防ぐことができる。またカバー体に対向する部分の温度が上昇したとしても、カバー体によって温度が上昇した部分に操作者が触れることを防ぐことができ、操作者からの操作が長時間にわたって行われる場合であっても、操作者に不快感を与えることなく、操作を行わせることができる。
【００３９】
また本発明によれば、電子機器が携帯電話装置であることによって、操作者によって把持された状態で操作される可能性が大きい。したがって上述する構成を有することによる効果を顕著に得ることができる。
【発明を実施するための最良の形態】
【００４０】
図１は、本発明の実施の第１実施形態である携帯電話装置２０を示す側面図である。図２は、携帯電話装置２０を示す正面図である。図３は、携帯電話装置２０を畳んだ状態を示す側面図である。本発明の第１実施形態である携帯電話装置２０は、操作者が把持した状態で操作される電子機器であり、無線電波を介して、基地局と無線通信を行う。
【００４１】
携帯電話装置２０は、文字および画像などの表示情報を表示する表示部２３と、操作者からの指令が入力される入力部２４と、入力部２４から与えられた情報に応じた情報を表示部２３に表示させる制御部２２と、基地局との通信を行うための通話用アンテナとを有する。また本実施の形態では、画像を撮像する撮像手段２６と、テレビ放送局から送信される電波を受信するためのテレビ用アンテナとをさらに有する。これらの機能的構成は、複数の電子部品によって実現される。各電子部品の少なくとも一部は、携帯電話装置２０が長時間にわたって操作されることで、発熱する発熱体となる。本実施の形態では、制御部２２に含まれるＬＳＩ（Large Scale Integration、大規模集積回路）が発熱体となる。以後、発熱体と制御部とを同じ参照符号「２２」で表わす。
【００４２】
携帯電話装置２０は、各電子部品を内蔵する筐体２１と、筐体２１の少なくとも一部を覆うカバー体３とを含む。本実施の形態では、筐体２１は、表示部搭載部分１と、入力部搭載部分２とに分割される。表示部搭載部分１には、液晶表示装置などによって実現されるＦＰＤ（Flat Panel Display、平面ディスプレイ）が表示部２３として内蔵される。また表示部搭載部分１には、着信スピーカ２８、撮像手段２６などが搭載されている。
【００４３】
入力部搭載部分２には、入力部２４、制御部２２を実現するためのＬＳＩ、電力供給を賄うための電力部であるバッテリーが搭載されている。入力部２４は、たとえばボタン型スイッチによって実現され、操作者によって押圧されると、押圧されたことを示す信号を制御部２２に与える。発熱体となる制御部２２は、本実施の形態では、入力部搭載部分２のうち、入力部２４が露出する面とは反対側の面寄りに配置される。また通話用アンテナおよびテレビ用アンテナは、入力部搭載部分２に内蔵される。
【００４４】
表示部搭載部分１および入力部搭載部分２は、略板状に形成される。表示部搭載部分１および入力部搭載部分２は、厚み方向に垂直な平面に投影した投影形状がほぼ同じ形状の略長方形状に形成される。入力部搭載部分２の長手方向一端部３０の縁辺と、表示部搭載部分１の長手方向一端部３１の縁辺とが互いに近接した位置で対向し、それら縁辺が平行に延びる。
【００４５】
表示部搭載部分１は、入力部搭載部分２に対して予め設定される基準軸線Ｌ１まわりに角変位可能に構成される。ここで基準軸線Ｌ１は、入力部搭載部分２および表示部搭載部分１の幅方向に延び、入力部搭載部分２の長手方向一端部３０近傍に設定される。表示部搭載部分１が入力部搭載部分２に対して基準軸線Ｌ１まわりに角変位することで、入力部搭載部分２の長手方向他端部３６と、表示部搭載部分１の長手方向他端部１９とが対向して、入力部搭載部分２と表示部搭載部分１とが厚み方向に並んだ折り畳み状態に変形可能である。このように本実施形態の携帯電話装置２０は、折り畳み型、いわゆるクラムシェル型に形成される。
【００４６】
具体的には入力部搭載部分２の長手方向一端部３０と、表示部搭載部分１の長手方向一端部３１とには、基準軸線Ｌ１まわりに相互に角変位可能に連結する第１ヒンジ機構４が設けられる。第１ヒンジ機構４は、入力部搭載部分２に対する表示部搭載部分１の角変位に拘わらずに、入力部搭載部分２に内蔵される制御部２２と、表示部搭載部分１に内蔵される表示部２３とを電気的に接続する配線の接続状態を保つ。これによって入力部搭載部分２に対して、表示部搭載部分１を基準軸線Ｌ１まわりに任意の角度に角変位させた場合であっても、携帯電話装置２０は継続して動作可能となる。本実施の形態では、操作者によって操作される操作状態では、入力部搭載部分２の上端部が長手方向一端部３０となり、表示部搭載部分１の下端部が長手方向一端部３１となる。すなわち操作状態において、入力部搭載部分２の上端部と、表示部搭載部分１の下端部とが第１ヒンジ機構４によって連結される。
【００４７】
入力部２４は、入力部搭載部分２のうち厚み方向一方Ｔ１１側に設けられ、入力部搭載部分２から厚み方向一方Ｔ１１に露出する。また表示部２３は、表示部搭載部分１の厚み方向一方Ｔ２１側に設けられ、表示部搭載部分１から厚み方向一方Ｔ２１に露出する。以下、入力部搭載部分２のうち、入力部２４が露出する面となる第１面を、入力部搭載部分２の表の面３２と称し、表の面３２と反対の面となる第２面を、入力部搭載部分２の裏の面３３と称する。また表示部搭載部分１のうち、表示部２３が露出する面を表示部搭載部分１の表の面３４と称し、表の面３４と反対の面を、表示部搭載部分１の裏の面３５と称する。
【００４８】
本実施の形態では、発熱体２２は、入力部搭載部分２の裏の面３３近傍に配置される。これによって携帯電話装置２０が操作者によって長時間操作されると、入力部搭載部分２は、発熱体２３が近傍に位置する裏の面３３のほうが、表の面３２に比べて温度が高くなる。また発熱体２２は、基準軸線Ｌ１寄りに配置される。これによって入力部搭載部分２の裏の面３３は、基準軸線Ｌ１近傍、すなわち入力部搭載部分２の長手方向一端部３０側の領域が、残余の領域に比べて温度が高くなる。
【００４９】
操作者によって操作される操作状態においては、カバー体３は、入力部搭載部分２の裏の面３３に対して、入力部搭載部分２の厚み方向Ｔ１に間隔があけられた状態で、入力部搭載部分２の裏の面３３を覆う。本実施の形態では、カバー体３は、板状に形成され、厚み方向に垂直な平面に投影した投影形状が、入力部搭載部分２の裏の面３３とほぼ同じ形状の略長方形形状に形成される。カバー体３の長手方向他端部３８の縁辺と、入力部搭載部分２の長手方向他端部３６の縁辺とが互いに近接した位置で対向し、それら縁辺が平行に延びる。
【００５０】
カバー体３は、入力部搭載部分２に対して予め設定される角変位軸線Ｌ２まわりに角変位可能に構成される。ここで、角変位軸線Ｌ２は、発熱体２２から離反した位置に設定される。本実施の形態では、角変位軸線Ｌ２は、入力部搭載部分２およびカバー体３の幅方向に延び、入力部搭載部分２の長手方向他端部３６近傍に設定される。
【００５１】
カバー体３が入力部搭載部分２に対して角変位軸線Ｌ２まわりに角変位することで、入力部搭載部分２の長手方向一端部３０と、カバー体３の長手方向一端部３９とが対向した状態であって、入力部搭載部分２とカバー体３とが厚み方向に並んだ折り畳み状態に変形可能である。またカバー体３が、入力部搭載部分２に対して角変位軸線Ｌ２まわりに角変位することによって、カバー体３の長手方向一端部３９と、入力部搭載部分２の長手方向一端部３０との間の距離が変化する。
【００５２】
具体的には、入力部搭載部分２の長手方向他端部３６と、カバー体３の長手方向他端部３８とには、角変位軸線Ｌ２まわりに相互に角変位可能に連結する第２ヒンジ機構５が設けられる。たとえば第２ヒンジ機構５は、角変位軸線Ｌ２と同軸に延びる円柱状突起と、円柱状突起が嵌り込む円柱状凹所が形成される嵌合部とによって実現される。前記円柱状突起は、カバー体３の長手方向他端部３８の幅方向両側にそれぞれ形成され、前記嵌合部は、入力部搭載部分２の長手方向他端部３６の幅方向両側にそれぞれ形成される。カバー体３は、幅方向両側に形成される円柱状突起が、入力部搭載部分２の幅方向両側に形成される嵌合部にそれぞれ嵌り込む。これによって入力部搭載部分２とカバー体３とが長手方向他端部３６，３８で角変位軸線Ｌ２まわりに角変位可能にそれぞれ連結される。なお、このような第２ヒンジ機構５の構成は一例であって、他の構成によって実現されてもよい。
【００５３】
カバー体３は、断面形状が略Ｕ字状に形成され、主面４０と、主面４０の幅方向両側から厚み方向に屈曲する２つの副面４１とを有する。主面４０は、入力部搭載部分２の裏の面３３とほぼ同様の形状に形成される。また副面４１は、入力部搭載部分２の幅方向側面４２とほぼ同様の形状に形成される。前記円柱突起は、２つの副面４１の長手方向端部領域から、幅方向内方に向かってそれぞれ突出する。
【００５４】
カバー体３が入力部搭載部分２に連結されて、カバー体３が入力部搭載部分２に折り畳まれた状態では、主面４０は、入力部搭載部分２の裏の面３３に対向し、裏の面３３に対して平行に延びる。また各副面４１は、入力部搭載部分２の側面４２にそれぞれ対向し、入力部搭載部分２の側面４２に平行に延びる。カバー体３は、可撓性を有する材料からなり、たとえば筐体２１と同様の材料から成る。
【００５５】
図１および図２に示すように、携帯電話装置２０が操作される操作状態においては、入力部搭載部分２と表示部搭載部分１とのそれぞれの表の面３２，３４が露出する。そして操作者が、入力部２４を押圧可能であるとともに、表示部２３を視認可能な状態となる。これによって操作者が携帯電話装置２０を操作することができる。また操作状態においては、カバー体３の主面４０と、入力部搭載部分２の裏の面３３とが隙間をあけて配置される。具体的には、入力部搭載部分２の長手方向一方端部３０と、カバー体３の長手方向一端部３９との間に隙間、いわゆるピッチＰが形成される。これによって操作者が携帯電話装置２０を把持しやすい形状に、携帯電話装置２０を変形させることができる。
【００５６】
図３に示すように、携帯電話装置２０が折り畳まれる状態においては、操作状態から、入力部搭載部分２の厚み方向一方表面３２と、表示部搭載部分１の厚み方向一方表面３４とが互いに対向し、それらの面３２，３４が露出することが防がれる。またカバー体３の主面４０が、入力部搭載部分２の裏の面３３に最も近接する。このように折り畳み状態に変形されることで、携帯電話装置２０を小さくまとめて、携帯性を付与することができる。
【００５７】
図４は、入力部搭載部分２を簡略化して示す底面図であり、図５は、入力部搭載部分２を簡略化して示す側面図である。図６は、カバー体３を簡略化して示す底面図であり、図７は、カバー体３を簡略化して示す側面図である。上述するように、入力部搭載部分２には、幅方向側面に嵌合部２６が形成される。またカバー体３には、幅方向側面に嵌合部２６が形成される。カバー体３の２つの副面４１を幅方向に離反する方向に互いに変形させた状態で、副面４１の間に入力部搭載部分２の長手方向他端部３６を配置し、嵌合部２６に円柱状突起２７を嵌め込む。このようにしてカバー体３を入力部搭載部分２に角変位可能に連結することができる。またカバー体３を変形させることによって、入力部搭載部分２からカバー体３を取外すことができる。このようにしてカバー体３は、入力部搭載部分２に対して着脱自在に構成される。
【００５８】
本実施の形態では、カバー体３は、入力部搭載部分２に装着された状態で、入力部搭載部分２に対して角変位軸線Ｌ２まわりに角変位自在に形成される。また操作者によってカバー体３が入力部搭載部分２に対して任意の角変位位置に角変位されると、カバー体３は、その角変位位置に保持される。
【００５９】
たとえば円柱状突起２７と嵌合部２６とが締まりばめ、すなわち嵌合部２６の直径よりも円柱状突起２７の直径のほうが若干大きく形成される。これによってカバー体３が入力部搭載部分２に対して角変位可能であり、カバー体３が任意の角変位位置で保持可能となる。これによって入力部搭載部分２の長手方向一端部３０と、カバー体３の長手方向一端部１９とを、空間を挟んで任意の距離に保つことができる。
【００６０】
また、入力部搭載部分２の裏の面３３が形成される部分には、裏の面３３に対して幅方向中間領域で厚み方向Ｔ１２に突出する突出部７が形成される。突出部７は、裏の面３３に平行な略四角形板状であり、裏の面３３の４つの辺にそれぞれ平行となる４つの辺を有する。突出部７の４つの辺のうち、長手方向他方側縁辺は、裏の面３３の長手方向他方側縁辺に沿って延びる。
【００６１】
またカバー体３の主面４０が形成される部分には、主面４０に対して幅方向中間領域で厚み方向に貫通する開口８が形成される。開口８によって切り取られた部分は、幅方向中間領域で、主面４０の長手方向一端面４３から長手方向に没入した切欠き形状に形成される。携帯電話装置２０が折り畳まれる状態においては、カバー体３の開口４３に、入力部搭載部分２に形成される突出部７が嵌合する。折り畳み状態では、カバー体の開口８による凹所が突出部７によって埋められ、折り畳み状態の携帯電話装置２０の外表面を滑らかにすることができる。これによって鞄などに携帯電話装置２０を収容したときに、携帯電話装置２０および鞄などが損傷することを防ぐことができるとともに、美観を向上することができる。
【００６２】
図８は、カバー体３を入力部搭載部分２に角変位軸線Ｌ２まわりに角変位した状態を簡略化して示す断面図である。また図８には、入力部搭載部分２に対してカバー体３が最も近接した状態を仮想線４４で示す。カバー体３が、入力部搭載部分２に対して離反する方向に角変位すると、カバー体３の開口部４３が、入力部搭載部分２の突出部７から離反する。この場合、開口部４３によって、入力部搭載部分２の長手方向他端部３６と、カバー体３の長手方向他端部３８との間に隙間Ｑを形成することができる。この隙間Ｑは、入力部搭載部分２の長手方向にカバー体３を挿通する。このとき、入力部搭載部分２の長手方向一端部３０と、カバー体３の長手方向一端部３９とには、隙間Ｐが形成されている。
【００６３】
したがって矢符９で示すように、筐体２１の外方の空気は、カバー体３の開口８を通過して、入力部搭載部分２の長手方向他端部３６から、入力部搭載部分２の裏の面３３に進入可能となる。そして空気は、入力部搭載部分２の裏の面３３に沿って通過した後、入力部搭載部分２の長手方向一端部３０と、カバー体３の長手方向他端部３９との間の隙間Ｐから、筐体２１の外方に移動することができる。空気は、長手方向にそって入力部搭載部分２とカバー体３との間を通過可能となる。
【００６４】
本実施の形態によれば、操作者が携帯電話装置２０を操作する場合、操作者は、入力部２４を押圧するとともに、入力部２４と反対側の部分を掌などによって支える。具体的には、カバー体３の主面４０に掌を接触させた状態で、五指のうちいずれか２つなどでカバー体３の各副面４１を挟持させて、携帯電話装置２０を支持した状態で、入力部２４を押圧する。カバー体３は、入力部搭載部分２の裏の面３３を覆うことによって、操作者は入力部搭載部分２の裏の面３３に触れることなく、携帯電話装置２０を操作することができる。
【００６５】
また本実施の形態では、操作者によって、カバー体３の長手方向一端部３９が入力部搭載部分２の長手方向一端部３０から離反するように変形された状態で、携帯電話装置２０が操作される。操作者の操作が長時間におよぶ場合には、ＬＳＩなどの発熱体２２によって発生した熱が伝わり、発熱体近傍の筐体表面となる裏の面３３の表面温度が、携帯電話装置２０の周囲の外気に比べて高温となる。しかしながら、カバー体３と入力部搭載部分２とが間隔Ｐ，Ｑをあけて配置されるので、入力部搭載部分２の裏の面３３の熱がカバー体３に伝わりにくい。
【００６６】
上述したように、操作者は、携帯電話装置２０を把持した状態で操作する場合、カバー体３に触れることで、入力部搭載部分２の裏の面３３に触れることがない。カバー体３は、入力部搭載部分２の裏の面３３よりも低温である。これによって入力部搭載部分２の裏の面３３が高温になっても、携帯電話装置２０の操作にあたって、電子機器の温度上昇に起因して操作者が感じる違和感を低減することができ、長時間の操作を行わせることができる。
【００６７】
操作者が入力部２４を押圧する場合には、操作者は、入力部２４とは反対側の部分から、携帯電話装置２０を支えた状態で、携帯電話装置２０を操作することになる。したがって入力部２４とは反対側にカバー体３を配置することで、筐体のうち加熱したとなる裏の面３３と操作者とが直接触れることをより確実に防ぐことができる。これによって入力部２４を押圧する入力操作がなされるにあたって、電子機器の温度上昇に起因して操作者が感じる違和感をより確実に減らすことができる。
【００６８】
また本実施形態によれば、操作状態においては、入力部搭載部分２の裏の面３２と、カバー体３とは、長手方向両端部において隙間Ｐ，Ｑが形成される。すなわち、カバー体３と筐体２１との間の隙間は、長手方向両側に開放される。これによって外気が、入力部搭載部分２の裏の面３２と、カバー体３との間を通過しやすい。外気によって、入力部搭載部分２の裏の面３２が冷えることで、入力部搭載部分２の温度が過度に上昇することを防ぐことができる。これによって長時間操作が継続される場合であっても、カバー体３の温度が高くなることを防ぐことができる。
【００６９】
特に本実施形態では、操作状態において、入力部搭載部分２のうちで、長手方向一端部３０が上端部となり、長手方向他端部３６が下端部となる。したがって入力部搭載部分２の裏の面３３とカバー体３との間の空気は、筐体表面から伝えられる熱によって温度が上昇すると、移動して上方の隙間Ｐからカバー体３と筐体２１との間の空間から脱出する。また冷えた空気が、下方の隙間Ｑからカバー体３と筐体２１との間の空間に進入する。このようにカバー体３の上端部と下端部とにそれぞれ隙間Ｐ，Ｑが形成されることで、暖められた空気が、筐体２１とカバー体３との間にこもることを防ぐことができる。また本実施の形態では、角変位軸線Ｌ２は、操作時において、入力部搭載部分２のうちで下端部となる位置に設定される。これによってカバー体３を角変位することによって、上端部におけるカバー体３と入力部搭載部分２との隙間Ｐを大きくすることができ、入力部搭載部分２の裏の面３３によって暖められた空気を十分に排出することができる。
【００７０】
また本実施の形態では、カバー体３を角変位軸線Ｌ２まわりに角変位可能に形成されるとともに、カバー体３が任意の角変位量に変位した状態で保持可能に形成される。これによって携帯電話装置２０を単純な構造にしたうえで、カバー体３と筐体２１との間の体積を、任意の体積に変更することができ、変更した体積で保持可能となる。言い換えると、入力部搭載部２の長手方向に垂直な切断面線で切断した断面形状を変更可能に形成することができるとともに、変更した形状に捧持することができる。
【００７１】
カバー体３と筐体２１との間の空間の体積を変更することによって、操作時における携帯電話装置２０の大きさを自在に変更することができる。これによって操作者毎の手の大きさに応じて、操作時における携帯電話装置２０の大きさを、最適な大きさに調整することができ、利便性を向上することができる。これによって長時間にわたる入力部２４の押圧操作を、楽に行わせることができる。たとえば文字入力に要する負担を減らしたり、ゲームに代表されるアプリケーション操作に要する負担を減らしたりすることができ、長時間操作した場合における操作者の疲労を少なくすることができる。またカバー体３を折り畳み状態に変形することによって、携帯電話装置２０を小形化することができ、携帯性を向上させることができる。
【００７２】
また本実施の形態では、角変位軸線Ｌ２を発熱体２２から離反した位置に配置することによって、カバー体３と筐体２１に内蔵される発熱体２２との距離を、任意の距離に変更および保持可能となる。カバー体３と発熱体２２との距離が大きくなることで、カバー体３の温度上昇を少なくすることができる。また携帯電話装置２０の操作環境として、季節、地域差など、大気温度が大きく変わる場合が考えられる。本実施形態では、携帯電話装置２０の操作環境にあわせて、カバー体３の温度が過度に高くならないような、カバー体３と筐体２１に内蔵される発熱体２２との間の距離に設定することができ、利便性を向上することができる。
【００７３】
また本実施の形態では、携帯電話装置２０の操作環境にあわせて、カバー体３の装着の有無を任意に決定できる。たとえば発熱体２２の発熱による温度上昇は、外気温からの相対温度で示されるが、外気温が極端に低い場合などには、外気温に温度上昇を足し合わせても、操作者に不快感を与えることがない。このような場合には、カバー体３を取外すことができる。これによって携帯電話装置２０の厚さが減少し、携帯性を向上することができる。たとえば入力部搭載部分２の裏の面３３の温度が過度に高くならない場合として、操作時間が短時間ですむような使い方を多用する場合、発熱体２２の温度上昇が低い場合、外気温が低い場合などが想定される。
【００７４】
また本実施形態によれば、カバー体３には、主面４０と、主面４０の幅方向両端部からそれぞれ屈曲する２つの副面４１とが形成される。これによってカバー体３の主面４０に操作者の掌を接触させた状態で、操作者の五指のうちいずれか２つなどで、カバー体３の各副面４１を挟持させることができる。これによって操作時に、カバー体３を介して、形態伝差装置２０を確実に把持することができる。また操作時に携帯電話装置２０を支えるであろう操作者の掌および五指が、筐体２１に直接触れることを防ぐことができ、筐体２１が高温となる場合であっても操作者に与える違和感を減らすことができる。またカバー体３は、各副面４１が主面４０に対するリブの役割を果たし、カバー体３の強度を向上することができる。
【００７５】
また本実施形態によれば、入力部搭載部分２と、表示部搭載部分１とが変位可能に設けられることで、操作時と非操作時とで筐体の形状を異ならせることができる。具体的には、非操作時には、入力部搭載部分２と表示部搭載部分１とを重ねることで、筐体２１の小形化を図ることができる。また入力部搭載部分２のうちで入力部２４が露出する表の面３２とは反対側の裏の面３３をカバー体３が覆うことで、入力部搭載部分２と表示部搭載部分１とを分割したことに起因して、入力部搭載部分の容積が小さくなり、入力部搭載部分が高温となる場合であっても、操作者に与える違和感を減らすことができる。
【００７６】
図９は、携帯電話装置２０の主要な構成を示すブロック図である。本実施の形態の携帯電話装置２０は、通話用アンテナ２５、通信部５０、入力部２４、音声入力部５１、音声出力部５２、電源部５３、制御部２２、メモリ５５、表示部２３、撮像部２６、着信音発生部２８、テレビチューナ５６およびテレビ用アンテナ２７とを含んで構成される。
【００７７】
通話用アンテナ２５は、無線電波を介して基地局と無線通信を行うときに、送信すべき送信データを電波に変換して送信するとともに、受信すべき受信データを電波として受信する。通信部５０は、受信時において、基地局から通話用アンテナ２５を介して受信した受信データを復調する。また通信部５０は、送信時において、制御部２２または音声入力部５１から送られてくる送信データを変調して増幅し、通話用アンテナ２５を介して基地局に送信する。たとえば受信データの復調後のデータおよび送信データの変調前のデータは、文字データ、画像データおよび音声データである。
【００７８】
通信部５０は、受信時に復調した文字データおよび画像データを所定の通信プロトコルに基づいて制御部２２に送るとともに、受信時に復調した音声データを音声出力部５２に送る。制御部２２は、通信部５０から与えられた文字データおよび画像データなどの受信データを、メモリ５５に記憶される。また制御部２２は、メモリ５５に記憶される文字データおよび画像データなどの送信データを通信部５０に与える。また音声入力部５１は、入力される音声を音声データとして通信部５０に与える。
【００７９】
入力部２４は、数字情報、文字情報および携帯電話装置２０への指示などの所定の情報を入力するための複数の操作入力キーを含んで構成される。操作者が、操作入力キーを押圧操作することによって、入力部２４は、操作入力キーの押圧状態に応じた情報を制御部２２に与える。たとえば操作入力キーとして、終話キー、シャッタキー、アプリケーションキー、数字キーを含む。終話キーは、電話通信の終了を表わす終話の指示を入力するときに操作される。シャッタキーは、後述する撮像部２６で撮像されて生成される画像データをメモリ５５に記憶するための所定の指示を入力するときに操作される。アプリケーションキーは、ダイヤル発信、電子メールの送受信およびインターネット接続などの各アプリケーションを起動するときに操作される。数字キーは、数字データおよび文字データを入力するときに操作される数字キー、文字キー、記号キーを含む。
【００８０】
音声入力部５１は、マイクロフォンによって実現される。音声入力部５１には、たとえば通話時の送話音声が入力される。音声出力部５２は、スピーカによって実現される。音声出力部５２は、たとえば通話時の受話音声を放音する。着信音発生部２８は、スピーカによって実現される。着信音発生部２８は、制御部２２から与えられる着信を示す音声データに基づいて、着信音を放音する。
【００８１】
電源部５３は、携帯電話装置内の各電子機器に対して電力を供給する。電源部５３は、たとえば充電可能なバッテリーによって実現される。制御部２２は、メモリ５５に記憶される制御プログラムに基づいて制御を行う。具体的には、通信部５０および入力部２４から与えられる情報に基づいて、通信部５０、音声入力部５１、音声出力部５２、電源部５３、メモリ５５、表示部２３、撮像部２６、着信音発生部２８を制御する。メモリ５５は、書換え可能な不揮発性メモリおよび揮発性メモリを含んで実現される。
【００８２】
メモリ５５は、携帯電話装置２０を構成する各電子部品を制御するための制御プログラム、ならびに電子メールに関するアプリケーション、撮像部２６を用いた画像の撮像に関するアプリケーション、およびインターネットに関するアプリケーションなどを実行するためのアプリケーションプログラムが記憶される。
【００８３】
またメモリ５５は、作業中のデータが一時的に記憶される。メモリ５５には、たとえば電子メールに関するアプリケーションを実行しているときの作成途中の電子メール文書データ、および画像の撮像に関するアプリケーションを実行しているときの撮像部３１から連続的に与えられる画像データが一時的に記憶される。またメモリ５５は、シャッタキーが押下されたとき、撮像部２６に記憶されている画像データのうち所定の画像データが記憶される。また、メモリ５５には、通信部５０を介して受信した文字データおよび画像データなどの所定のデータが記憶される。
【００８４】
撮像部３１は、たとえばＣＣＤ（Charge Coupled Device、電荷結合素子）イメージセンサなどの撮像素子を含んで実現される。また制御部２２は、操作者の入力にしたがってテレビチューナ５６にテレビ放送受信指令を与える。これによってテレビチューナ５６は、テレビ用アンテナ２７を介してテレビ放送局から放送される電波を受信し、電波を復調する。そして復調した音声データおよび画像データを制御部２２に与える。制御部２２は、テレビチューナ５６から与えられた情報のうち音声データを音声出力部５２に与え、画像データを表示部２３に与える。これによってテレビ放送が放送するテレビ番組の内容を携帯電話装置２０から出力することができる。本実施の形態の携帯電話装置２０は、カバー体３が入力部搭載部分２に装着された状態で、外部装置からの電力供給が可能に形成される。
【００８５】
制御部２２は、アプリケーション実行時、テレビ放送表示時などに発熱する。また通信部５０は、無線通信時に発熱する。また電源部は、外部装置からの電力供給時に発熱する。このように携帯電話装置２０が発熱する状態は、通話状態や内蔵アプリケーションを操作している場合であって、携帯電話装置２０の表面の大半が操作者の人手によって覆われている状態である。このような携帯電話装置２０は、操作者によって把持された状態で操作される電子機器であり、上述したカバー体３とを有することで、操作者によって長時間操作された場合であっても、温度上昇に起因して操作者が感じる違和感を与えることを防ぐことができる。本実施の形態では、筐体内の電子部品の内部配置を変更および制限する必要がなく、発熱部品数が複数ある場合においても対処可能である。
【００８６】
次に、本発明の効果を確認するための実験方法と、実験結果について説明する。図１０は、効果を確認するために実験に用いた携帯電話装置２０の寸法を示す断面図である。また表１に実験に用いた携帯電話装置２０の寸法について示す。
【００８７】
【表１】
2006345283.tif 000003
【００８８】
図２および図１０に示すように、入力部搭載部分２は、幅方向寸法Ｗが５０ｍｍであり、長手方向寸法Ｈが１００ｍｍであり、厚み方向寸法Ｄが１１ｍｍである。また発熱体２２は、長方形形状に形成され、その幅寸法ｗが４４ｍｍであり、長手方向寸法ｈが３６ｍｍであり、厚み寸法ｄが６ｍｍである。また発熱体２２は、入力部搭載部分２の長手方向他端面６０から長手方向に５０ｍｍ離れた位置に、発熱体２２の長手方向他端面６１が配置される。言い換えると、発熱体２２は、入力部搭載部分２の長手方向一端面６２から長手方向他方に１４ｍｍ離れた位置に、発熱体２２の長手方向一端面６３が配置される。また発熱体２２の発熱量Ｑは、５００ｍＷである。
【００８９】
図１１は、実験に用いた２つの比較例の携帯電話装置１２０を示す側面図である。また図１２は、実験に用いた本発明の４つの実施例の携帯電話装置２０を簡略化して示す側面図である。実験に用いた２つの比較例の携帯電話装置１２０は、実験に用いた本発明の４つの実施例の携帯電話装置２０に対して、カバー体３が設けられていない構成に形成される。
【００９０】
すなわち各比較例および各実施例の携帯電話装置１２０，２０の筐体１２１，２１は、表示部搭載部分１０１，１と、入力部搭載部分１０２，２とに分割される。また各比較例および各実施例の携帯電話装置１２０，２０の筐体１２１，２１の形状は、同じに形成され、それぞれ表１に示す形状に形成される。また入力部搭載部分１０２，２に内蔵される発熱体１２２，２２もまた、同様の形状および発熱能力に設定される。
【００９１】
第１の比較例の携帯電話装置１２０の筐体１２１は、熱伝導率が０．１４５Ｗ／ｍ・Ｋであり、比熱が１５００Ｊ／ｋｇ・Ｋである、ＡＢＳ（アクリロニトリルブタジエンスチレン）樹脂から成る。また第２の比較例の携帯電話装置１２０の筐体１２１は、熱伝導率が、５１Ｗ／ｍ・Ｋ、比熱が１０５０Ｊ／ｋｇ・Ｋである、マグネシウム合金から成る。ここで、マグネシウム合金は、ＡＳＴＭ（American Society For Testing and Materials、米国材料試験協会）に規定されるＡＺ９１Ｄ相当の化学成分を有する。具体的には、約９％のアルミニウムと、約１％の亜鉛と、約０．６％以下の不純物と、残余のマグネシウムとで構成される。
【００９２】
第１〜第４の実施例の筐体２０は、第１の比較例と同様のＡＢＳ樹脂から成る。また第１〜第４の実施例は、長手方向一方側において、入力部搭載部分２とカバー体３との間で、隙間Ｐをあけた状態で実験が行われる。入力部搭載部分２の長手方向一方端部３０と、カバー体３の長手方向一方端部３９との厚み方向Ｔの隙間をピッチＰと称すると、第１の実施例ではピッチＰが１．５ｍｍに設定され、第２の実施例ではピッチＰが２ｍｍに設定され、第３の実施例ではピッチＰが３ｍｍに設定され、第４の実施例ではピッチＰが５ｍｍに設定される。第１および第２の比較例と第１〜第４の実施例との特徴を表２に示す
【００９３】
【表２】
2006345283.tif 000004
【００９４】
上述した各比較例および各実施例の携帯電話装置２０，１２０を、室温２０℃（２９３Ｋ）に配置した状態で、携帯電話装置２０，１２０を定格動作させて、発熱体１２２，２２を発熱させ、入力部搭載部分２の裏の面３３の温度分布が一定となるまで放置し、定常状態になった場合の温度を表３に示す。表３において、各比較例では入力部搭載部分２の裏の面３３の温度を把持温度とし、各実施例ではカバー体３の温度を把持温度とする。
【００９５】
【表３】
2006345283.tif 000005
【００９６】
各比較例では、カバー体３が設けられていないので、操作者は、入力部搭載部分２の裏の面３３に触れた状態で、携帯電話装置１２０を把持する。これに対して、各実施例では、カバー体３が設けられることで、入力部搭載部分２の裏の面３３に触れることなく、カバー体３に触れた状態で携帯電話装置２０を把持する。
【００９７】
表３に示すように、第１の比較例では携帯電話装置１２０の表面温度が４５℃となり、人間の体温よりも高くなる。したがって操作者が携帯電話装置１２０を把持した状態で、長時間にわたって操作すると、操作者は携帯電話装置１２０を熱いと感じてしまう。
【００９８】
第２の比較例では、第１の比較例に比べて放熱性が優れるマグネシウム合金によって筐体２１が形成されることで、裏の面３３の温度が低くなる。しかしながら第２の比較例であっても、携帯電話装置１２０の表面温度が４２℃であり、人間の体温よりも高くなり、操作者は携帯電話装置１２０を熱いと感じてしまう。
【００９９】
これに対して、第１の実施例〜第４の実施例では、カバー体３は、入力部搭載部分２の裏の面３３に対して隙間Ｐが形成されるので、裏の面３３に比べて温度が低い。また入力部搭載部分２とカバー体３とのピッチＰを大きくすればするほど、カバー体３の温度が低くなる。本実験例では、カバー体３の把持部分の温度は、第１の実施例では３５℃、第２実施例では３４℃、第３実施例では３２℃、第４実施例では２９℃となり、いずれも人間の体温以下になる。これによって操作者が、携帯電話装置２０を把持した状態で、長時間にわたって操作したとしても、操作者は携帯電話装置２０を熱いと感じることが防がれる。したがって携帯電話装置２０の操作時における違和感を減らすことができる。このようにピッチＰは、カバー体３の把持部分の温度が人間の体温以下となるように設定されることが好ましい。
【０１００】
次に、第１の比較例および各実施例の筐体１２１，２１はＡＢＳ樹脂から成り、第２の比較例の筐体１２１はマグネシウム合金から成る。これらの２つの材料は、一般的な構造材料であるが、材料費はＡＢＳのほうが安価である。また、ＡＢＳ樹脂は射出成形方法を用いて成形することができ、大量生産に向いており、生産性を向上することができる。これに対してマグネシウム合金は、チクソモールディング法やダイカスト法などの鋳造法で作成される。マグネシウム合金に適用される鋳造法は、ＡＢＳ樹脂に適用される射出成形方法に比べて、成形後に、バリとり、表面研磨、酸化防止のための表面処理などの後加工が必要であり、生産性が悪い。
【０１０１】
また放熱性を高くするためにマグネシウム合金などの金属材料によって、携帯電話装置の筐体１２１を形成する場合、筐体が導電性を有するので、携帯電話装置に設けられるアンテナ２５，２７の送受信能力に悪影響をおよぼす。具体的には、携帯電話装置の軽薄短小化のために、通信用アンテナおよびテレビ用アンテナを筐体内部に内蔵する場合、携帯電話装置のアンテナから送信された電波の一部が金属製筐体に吸収されてしまい、実際に送信される電波の出力が弱くなってしまう。また基地局などから送信された電波の一部が金属性筐体に吸収されてしまい、実際に受信する電波の出力が弱くなってしまう。このように放熱性をよくするために、金属性筐体を用いると、携帯電話装置の通信性が低下してしまうおそれがある。以上の観点から、総合的に判断すると、各比較例に比べて、本発明の各実施形態のほうが優れた効果を有するといえる。
【０１０２】
図１３は、第１実施形態の変形例である携帯電話装置２０を示す断面図である。上述した実施形態では、カバー体３が折り畳まれた状態で、カバー体３と入力部搭載部２とが当接するとした。これに対して第１実施形態の変形例として、カバー体３が折り畳まれた状態で、カバー体３と入力部搭載部２との間に隙間が形成されてもよい。この場合、カバー体３と入力部搭載部２との間の隙間は、長手方向両端で開放されることが好ましい。これによって折り畳まれた状態であっても、カバー体３と入力部搭載部２との間に空気を通過させることができる。このような構成は、上述した突出部７と開口部４３の形状などを変更することによって、容易に実現可能である。
【０１０３】
図１４は、カバー体３の角変位量位置合わせ機構を説明するための断面図である。上述した実施形態では、カバー体３が任意の角変位位置で保持可能であるとしたが、予め定められる角変位位置で保持可能な角変位位置位置合わせ機構を有していてもよい。たとえばカバー体３に形成される円柱状突起２７の外周面から半径方向外方に突出する凸部７０が形成される。凸部７０は、ばね力または復元力などによって弾発性を有して、変形可能に形成され、円柱状突起２７の外周面から突出する突出量が変化可能に形成される。また入力部搭載部２に形成される嵌合部２６には、略円柱状空間から半径方向に陥没する複数の凹部７１，７２が形成される。
【０１０４】
カバー体３が第１の所定位置に位置する場合、図１４（１）に示すように円柱状突起２７が嵌合部２６に嵌合した状態で、前記凸部７０が、複数の凹部７１，７２のうちいずれか１つの凹部７１に嵌り込む。この状態から、カバー体３が入力部搭載部分２に対して角変位軸線Ｌ２まわりに角変位することによって、図１４（２）に示すように、凸部７０が変形して嵌合部２６の周面を摺動する。そしてカバー体３が第２の所定の角変位位置に達すると、図１４（３）に示すように、前記凸部７０が、複数の凹部７１，７２のうち他の凹部７２に嵌り込む。
【０１０５】
この場合、第１の所定位置または第２の所定位置にカバー体３が角変位した場合には、カバー体３が角変位するためには、前記凸部７０を変形させるのに大きな力を必要とする。したがってカバー体３が第１または第２の所定位置から不所望に角変位することを防ぐことができる。また操作者によってカバー体３が角変位された場合には、前記凸部７０が変形することになり、第１の所定位置または第２の所定位置からカバー体３を角変位させることができる。
【０１０６】
このようなカバー体３の角変位量位置合わせ構造は、一例である。したがって他の機構によって、カバー体３が所定の角変位位置で位置固定が可能なストッパー機構が設けられてもよい。これによって操作時にカバー体３が不所望に角変位したり、折り畳み時にカバー体３が不所望に角変位したりすることを防ぐことができる。
【０１０７】
図１５，１６は、本発明の第２形態である携帯電話装置２２０を示す側面図である。図１５は、カバー体２０３が入力部搭載部２０２に当接した状態を示し、図１６は、カバー体２０３が入力部搭載部２０２に対して平行移動した状態を示す。本発明の第２実施形態である携帯電話装置２２０は、第１実施形態の携帯電話装置２０に比べて、カバー体２０３の変形動作が異なる。その他の構成については、第１実施形態の携帯電話装置２０と同様であるので、説明を省略する。
【０１０８】
第１実施形態では、カバー体３は、角変位軸線Ｌ２まわりに角変位可能に構成されたが、カバー体２と筐体２１との連結構造と、筐体２１に対するカバー体３の可動方向は、第１実施形態に限定されない。第２実施形態では、カバー体２０３が、入力部搭載部２０２の裏の面３３に平行に配置された状態を保ち、入力部搭載部２０２に対して厚み方向に変位可能に入力部搭載部２０２に連結される。すなわちカバー体２０３は、入力部搭載部２０２に対して平行移動する。
【０１０９】
具体的には、カバー体２０３は、入力部搭載部２０２の裏の面３３３とほぼ同様の形状の主面４０を有する板状の主面部２１０と、主面部２１０と入力部搭載部２０２とを連結する連結部２０４，２０５とを有する。連結部２０４，２０５は、主面部２１０の長手方向両端部にそれぞれ設けられる。連結部２０４，２０５は、入力部搭載部２０２に形成されるピン部２１１に嵌合する結合部分が複数箇所設けられる。複数の結合部分のうちいずれか１つにピン部２１１を嵌合することによって、図１６に示すように、カバー体２０３と入力部搭載部２０２との間に隙間Ｐを形成することができる。ピン部２１１に嵌合する結合部分の位置を調整することによって、カバー体２０３を、入力部搭載部２０２に対して平行移動させることができる。このような構成であっても、第１実施形態と同様の効果を得ることができる。
【０１１０】
図１７は、本発明の第３形態である携帯電話装置３２０を示す側面図である。本発明の第３実施形態である携帯電話装置３２０は、第１実施形態の携帯電話装置２０に比べて、カバー体３０３の変形動作が異なる。その他の構成については、第１実施形態の携帯電話装置２０と同様であるので、説明を省略する。第３実施形態では、カバー体３０３は、入力部搭載部２０２に対して、平行移動および角変位移動する。
【０１１１】
具体的には、カバー体３０３は、入力部搭載部３０２の裏の面３３３とほぼ同様の形状の主面４０を有する板状の主面部３１０と、主面部３１０と入力部搭載部３０２とを連結する連結部３０４，３０５とを有する。連結部３０４，３０５は、主面部３１０に連結された状態で、主面部３１０に対して任意の方向に傾動可能な球面継手接続される。これによって連結部３０４，３０５に対して主面部３１０を傾かせることができる。また入力部搭載部３０２には、連結部３０４，３０５が嵌合する結合部分３１４，３１５が複数形成される。複数の結合部分３１４，３１５のうちいずれか１つに連結部３０４，３０５を嵌合することによって、カバー体３０３と入力部搭載部３０２との間に隙間Ｐを形成することができる。
【０１１２】
結合部分３１４，３１５に嵌合する連結部３０４，３０５の位置を調整することによって、カバー体３０３を、入力部搭載部３０２に対して平行移動させることができる。また連結部３０４，３０５が球面継手によって主面部３１０が接続されることでので、図１６に示すように、カバー体３０３を、入力部搭載部２０２に対して角変位移動させることができる。このような構成であっても、第１実施形態と同様の効果を得ることができる。また角変位移動のほか平行移動も可能であるので、操作者が携帯電話装置３２０をさらに把持しやすい形状にすることができる。
【０１１３】
図１８は、本発明の第４実施形態である携帯電話装置４２０を示す側面図である。本発明の第４実施形態である携帯電話装置４２０は、第１実施形態の携帯電話装置２０に比べて、カバー体４０３が固定して設けられる。その他の構成については、第１実施形態の携帯電話装置２０と同様であるので、説明を省略する。カバー体４０３と入力部搭載部４０２との間に隙間が形成され、この隙間は、長手方向両端で開放される。カバー体３と入力部搭載部２との間に空気を通過させることができる。このような構成であっても、第１実施形態と同様の効果を得ることができる。
【０１１４】
また本発明のさらに他の形態として、入力部搭載部２のうちカバー体３に対向する部分、すなわち入力部搭載部２の裏の面３３を形成する部分を、残余の部分に比べて、熱伝導性が高い金属たとえばマグネシウム合金から成るようにしてもよい。これによって筐体２１内の熱が筐体外に伝わりやすく、筐体２１内の温度が過度に上昇することを防ぐことができる。筐体２１内の温度上昇を防ぐことで、電子回路の誤動作や熱暴走を防ぐことができ、電子機器の信頼性を向上することができる。また部分的に金属部分を設けたとしても、筐体全体を金属で形成する場合に比べて、材料価格、生産性および通信性の低下を防ぐことができる。このような本発明のさらに他の形態でも、筐体２１のうちカバー体３に対向する部分がカバー体３に覆われることで、操作者がカバー体３に対向する部分に直接触れることを防ぐことができ、操作時に与える違和感を減らすことができる。
【０１１５】
この場合、筐体２１の内外を挿通する開口部を設ける必要がないので、水分または水分を多く含んだ空気が筐体内に浸入することを防ぐことができ、電子回路などの損傷を防ぐことができる。また温度が上昇したカバー体対向部分に操作者が触れることを防ぐことができ、操作者からの操作が長時間にわたって行われる場合であっても、操作者に不快感を与えることなく、操作を行わせることができる。
【０１１６】
以上のような本発明の実施の形態は、本発明の例示に過ぎず、発明の範囲内において構成を変更することができる。たとえば上述した実施例では、電子機器が携帯電話装置２０である場合の実施形態について説明したが、操作者によって把持された状態で操作される電子機器であるならば、携帯電話装置２０以外の電子機器であっても同様に適用することができる。たとえば、携帯電話装置２０以外の携帯情報端末（Personal Digital
Assistance、ＰＤＡ）装置、携帯型ゲーム機などであっても適用することができる。
【０１１７】
また本実施の形態では、入力部搭載部分２と、表示部搭載部分１とが分割された折り畳み型の電子機器について説明したが、入力部搭載部分２と表示部搭載部分１とが一体に形成される場合であっても、同様に適用可能である。また本実施の形態では、入力部搭載部分２の裏の面３３が発熱体近傍の筐体表面であるとしてカバー体３で覆ったが、発熱体が配置される位置に応じて、カバー体３で覆う位置を変更してもよい。たとえば発熱体は、電子機器を構成する電子部品のうちの、ＣＰＵ、ＬＳＩのような処理素子のほか、液晶表示装置に具備されるバックライト、無線通信などに用いるためのＲＦ（Radio Frequency、高周波増幅）回路、充電回路、ＴＶチューナなどが想定される。上述した発熱体の近傍の表面をカバー体３によって覆う構成であればよい。またカバー体３は、入力部搭載部分２の裏の面３３の全面を覆う必要がなく、発熱体近傍の表面をカバー体３によって覆う用に構成してもよい。また本実施例において、用いた長手方向、幅方向、厚み方向は、方向を規定するための一例であって、長手方向を第１方向とし、幅方向を第１方向に直交する第２方向とし、厚み方向を第１方向および第２方向にともに直交する第３方向として読み替えてもよい。
【図面の簡単な説明】
【０１１８】
【図１】本発明の実施の第１実施形態である携帯電話装置２０を示す側面図である。
【図２】携帯電話装置２０を示す正面図である。
【図３】携帯電話装置２０を畳んだ状態を示す側面図である。
【図４】入力部搭載部分２を簡略化して示す底面図である。
【図５】入力部搭載部分２を簡略化して示す側面図である。
【図６】カバー体３を簡略化して示す底面図である。
【図７】カバー体３を簡略化して示す側面図である。
【図８】カバー体３を入力部搭載部分２に角変位軸線Ｌ２まわりに角変位した状態を簡略化して示す断面図である。
【図９】携帯電話装置２０の主要な構成を示すブロック図である。
【図１０】効果を確認するために実験に用いた携帯電話装置２０の寸法を示す断面図である。
【図１１】実験に用いた２つの比較例の携帯電話装置１２０を示す側面図である。
【図１２】実験に用いた本発明の４つの実施例の携帯電話装置２０を簡略化して示す側面図である。
【図１３】第１実施形態の変形例である携帯電話装置２０を示す断面図である。
【図１４】カバー体３の角変位量位置合わせ機構を説明するための断面図である。
【図１５】本発明の第２形態である携帯電話装置２２０を示す側面図である。
【図１６】本発明の第２形態である携帯電話装置２２０を示す側面図である。
【図１７】本発明の第３形態である携帯電話装置３２０を示す側面図である。
【図１８】本発明の第４実施形態である携帯電話装置４２０を示す側面図である。
【符号の説明】
【０１１９】
１  表示部搭載部
２  入力部搭載部
３  カバー体
２０  携帯電話装置
２１  筐体
２２  発熱体
２３  表示部
２４  入力部
３２  入力部搭載部の表の面
３３  入力部搭載部の裏の面
【図１】
2006345283.tif 000006
【図２】
2006345283.tif 000007
【図３】
2006345283.tif 000008
【図４】
2006345283.tif 000009
【図５】
2006345283.tif 000010
【図６】
2006345283.tif 000011
【図７】
2006345283.tif 000012
【図８】
2006345283.tif 000013
【図９】
2006345283.tif 000014
【図１０】
2006345283.tif 000015
【図１１】
2006345283.tif 000016
【図１２】
2006345283.tif 000017
【図１３】
2006345283.tif 000018
【図１４】
2006345283.tif 000019
【図１５】
2006345283.tif 000020
【図１６】
2006345283.tif 000021
【図１７】
2006345283.tif 000022
【図１８】
2006345283.tif 000023